(57)【特許請求の範囲】
【請求項１】
底板３外周から周壁４を起立する合成樹脂製の容器本体５と該容器本体上面を開閉自在に閉塞する合成樹脂製の蓋体６とを、各後部で共に枢着させるとともに、上記底板３の左右方向中間から単数ないし複数の係止板７を前後方向へ長く起立するコンパクト外形部２と、上記係止板７を、側壁17下面に開口穿設した長溝18内へ嵌合させて、容器本体５左右いずれかの一半部内へ着脱自在に嵌合させた合成樹脂製の化粧品充填ドラム15とからなり、上記係止板７の左右方向縦断面形状を柄部８上端に笠部９を付設した左右対称の茸形状に形成するとともに、該係止板７を嵌合させた長溝付き側壁17ａの外方側溝形成壁20を上記係止板７の着脱が可能に弾性変形可能にし、かつ該外方側溝形成壁20の下部内面に上記笠部９の外縁下面へ係合する突部21を付設し、また化粧品充填ドラム15は、長溝付き側壁17ａを容器本体底板３の左右方向中間側に位置させて長溝18内へ係止板７を嵌合させることで、容器本体５内の左右何れにも嵌合可能に形成したことを特徴とする化粧用コンパクト容器。
【請求項２】
上記容器本体５の左右周壁部分４ｃ，４ｄ内面と、長溝18を有する側壁17と対向する側の、化粧品充填ドラム15の側壁17外面とに、容器本体左右両部内への化粧品充填ドラム15嵌合時に互いに係合する凹凸の係合手段を横設したことを特徴とする請求項１記載の化粧用コンパクト容器。
【請求項３】
上記容器本体５の底板３ないし該底板３から起立する周壁４に、通気孔13を穿設したことを特徴とする請求項１又は請求項２記載の化粧用コンパクト容器。
【発明の詳細な説明】
【０００１】
【発明の属する技術分野】
本発明は、化粧用コンパクト容器に関する。
【０００２】
【従来の技術】
例えば、実開平6‐68610 号公報には、底板外周から周壁を起立する容器本体と該容器本体上面を開閉する蓋体とを各後部で枢着させるとともに、上記容器本体内へ化粧品充填ドラムを着脱自在に嵌合した化粧用コンパクト容器が記載されており、該化粧用コンパクト容器では、上記底板の左右方向中間部から境界壁を起立して、容器本体内の左右に形状の異なる２個の収納室を形成し、一方に化粧品充填ドラムを、他方にパフを収納できるようにしている。
【０００３】
【発明が解決しようとする課題】
しかしながら、上述した従来の化粧用コンパクト容器では、左右の収納室の形状が異なるため、例えば左側の収納室が化粧品充填ドラム用とすると、パフは右側の収納室に収納されることになるから、右ききの人はパフを掴み易く使い勝手が良いが、左ききの人にとってはパフが掴みにくく使い勝手が悪いという問題があった。
【０００４】
請求項１記載の発明は、化粧品充填ドラムを容器本体内の左右何れの位置にもセットできる使い勝手の良い化粧用コンパクト容器を提供することを目的とし、また請求項２記載の発明は、上記目的を有するとともに、化粧品充填ドラムをより確実に保持できるようにした化粧用コンパクト容器を提供することを目的とする。更にまた請求項３記載の発明は、請求項１、及び請求項２の目的を有するとともに、閉蓋状態でも容器本体に収納するパフが乾燥するようにした化粧用コンパクト容器を提供することを目的とする。
【０００５】
【課題を解決するための手段】
上記目的を達成するために、第１の手段としては、底板３外周から周壁４を起立する合成樹脂製の容器本体５と該容器本体上面を開閉自在に閉塞する合成樹脂製の蓋体６とを、各後部で共に枢着させるとともに、上記底板３の左右方向中間から単数ないし複数の係止板７を前後方向へ長く起立するコンパクト外形部２と、上記係止板７を、側壁17下面に開口穿設した長溝18内へ嵌合させて、容器本体５左右いずれかの一半部内へ着脱自在に嵌合させた合成樹脂製の化粧品充填ドラム15とからなり、上記係止板７の左右方向縦断面形状を柄部８上端に笠部９を付設した左右対称の茸形状に形成するとともに、該係止板７を嵌合させた長溝付き側壁17ａの外方側溝形成壁20を上記係止板７の着脱が可能に弾性変形可能にし、かつ該外方側溝形成壁20の下部内面に上記笠部９の外縁下面へ係合する突部21を付設し、また化粧品充填ドラム15は、長溝付き側壁17ａを容器本体底板３の左右方向中間側に位置させて長溝18内へ係止板７を嵌合させることで、容器本体５内の左右何れにも嵌合可能に形成した。
【０００６】
また第２の手段としては、第１の手段の構成を有するとともに、上記容器本体５の左右周壁部分４ｃ，４ｄ内面と、長溝18を有する側壁17と対向する側の、化粧品充填ドラム15の側壁17面とに、容器本体左右両部内への化粧品充填ドラム15嵌合時に互いに係合する凹凸の係合手段を横設した。更に第３の手段としては、第１及び第２の手段の構成を有するとともに、上記容器本体５の底板３ないし該底板３から起立する周壁４に、通気孔13を穿設した。
【０００７】
【発明の実施の形態】
図１はコンパクト外形部から化粧品充填ドラムを取り外した状態の本発明の化粧用コンパクト容器１の第１実施形態を示す。
【０００８】
コンパクト外形部２は、底板３外周から周壁４を起立した合成樹脂製の容器本体５と、該容器本体の各後部で共に枢着するとともに、容器本体５上面を開閉自在に閉塞する蓋体６とからなり、上記底板３の左右方向中間から、前後方向へ長い一対の係止板７，７を起立している。
【０００９】
上記係止板７は、その左右方向縦断面形状が図３及び図４に示すように、平板状の柄部８上端に台形状の笠部９を付設した左右対称の茸形状に形成されており、該笠部の両外縁下面は逆刺として利用され、後述する化粧品充填ドラムの長溝内に形成された突部に係合する。なお、本実施形態では上記係止板７を底板３から２個起立させたが、係止板７の個数は３個以上であってもよく、また後述するように１個であってもよい。
【００１０】
柄部８が起立する底板３の左右部分に、図３及び図４が示すように、上記柄部８からはみ出した笠部９部分より大きめな透孔10を穿設することで、ルーズコアやスライドコアを用いない、構造の簡単な一対の金型により、アンダーカットを有する係止板７を容器本体５に一体に成形できるようにしている。なお、本実施形態では上記係止板７を底板３に一体に形成したが、係止板７を別工程で作製し、容器本体５の底板３に接着または溶着してもよい。この場合には底板３に上記透孔10を穿設しなくてもよい。また、本実施形態では図２が示すように、上記一対の係止板７，７の一端面を、前後周壁部分４ａ，４ｂ内面に連設することで、係止板７，７に上下方向の大きな力が加わっても容器本体５から千切れないようにしている。
【００１１】
上記容器本体５は図２が示すように、その左右周壁部分４ｃ，４ｄ内面から内方へ、２個の係止用突条11をそれぞれ突設している。該突条下方の底板３各部分に上記突条11の出っ張り部分より１回り大きな透孔12を穿設し、容器本体５の成形時における、金型の離型性を良好にしている。また容器本体５の底板３及び左右周壁部分４ｃ，４ｄの下部に多くの通気孔13を穿設することで、蓋体６が閉じられたときにも、上記通気孔13を介して容器本体５内へ外気を出入可能として、水分を含んだパフ( 図示省略 )が乾燥するようにしている。
【００１２】
化粧品充填ドラム15は図１及び図３が示すように、底壁16及び該底壁16外周から起立する側壁17からなり、これらを合成樹脂で一体成形している。上記底壁16及び側壁17が形成する内部には、ファンデーション等の化粧品15ａを収納している。該化粧品充填ドラム15では、右方の側壁部分17ａを、下面が開口した長溝18を穿設して長溝付き側壁としている。該長溝の内方壁面18ａは図３が示すように、右方高の斜面になっていて、かつ該斜面の傾きを、係止板７の笠部９の上部に形成したテーパ面９ａの傾きに等しく形成している。このように構成すると、上記係止板７が長溝18内へ嵌合されるときに、笠部９の上部が内方壁面18ａをスライドして、化粧品充填ドラム15は図中左方向へ寄るようになり、長溝付き側壁17ａに対向する側壁17は容器本体５の左側周壁部分４ｃに密着する。
【００１３】
上記長溝付き側壁17ａの一部を構成する外方側溝形成壁20は弾性変形可能であって、下部内面に突部21を横設している。該突部の上面は既述したように、笠部９の外縁下面に係合し、化粧品充填ドラム15を容器本体５内へ係止する。また化粧品充填ドラム15が押し上げられたときに、上記外方側溝形成壁20が図中右側に変形し、笠部９が突部21を乗り越えるように、突部21の縦断面の上部を円弧状にしている。更に外方側溝形成壁20の前，後端部に割溝22をそれぞれ形成して、該外方側溝形成壁20の前後端部分をより変形し易くしている。
【００１４】
上記長溝付き側壁17ａと対向する側壁17の外面に、図１において二点鎖線で示すように、一対の凹条23を穿設している。該凹条には、化粧品充填ドラム15を容器本体５内へセットするときに笠部９の上部が既述内方壁面18ａをスライドして、上記突条11がそれぞれ嵌入される。なお本実施形態では、左右周壁部分４ｃ，４ｄに突条11を、また化粧品充填ドラム15の側壁17に凹条23をそれぞれ形成したが、左右周壁部分４ｃ，４ｄに凹条23を、また化粧品充填ドラム15の側壁17に突条11をそれぞれ形成してもよい。
【００１５】
上記構成を有する化粧用コンパクト容器１では、化粧品充填ドラム15を容器本体５の左側にセットするときには、化粧品充填ドラム15を図１において実線で示すように、溝付き側壁17ａが容器本体底板３の中央側に向くよう位置させる。この後、図３が示すように、係止板７を長溝18内へ嵌合すると、左側周壁部分４ｃの突条11が化粧品充填ドラム15の凹条23内へ嵌合し、化粧品充填ドラム15は容器本体５内の左側へガタつくことなく取り付けられる。なお、容器本体５内の右側はパフ等を収納する空きスペースとなる。
【００１６】
容器本体５から化粧品充填ドラム15を取り外すときには、ドライバー等の先端で外方側溝形成壁20の下端を引っ掛け、上方へ持ち上げると、該外方側溝形成壁20が右方へ変形し、笠部９の外縁下面と、溝付き側壁17ａの突部21との係合が解除される。このとき、突条11は凹条23から離脱するから、化粧品充填ドラム15を容器本体５内から簡単に取り出すことができる。なお、容器本体５の底板３に化粧品充填ドラム15の押上げ用の透孔等が穿設してある場合には、該透孔からピン等を挿入して、化粧品充填ドラム15を押し上げることで取り出しが可能となる。
【００１７】
化粧品充填ドラム15を容器本体５の右側にセットするときには、化粧品充填ドラム15を図１において二点鎖線で示すように、溝付き側壁17ａを容器本体底板３の中央側に向くよう位置させる。この後、図４が示すように、長溝18内へ係止板７を嵌合させると、左側周壁部分４ｃの突条11が化粧品充填ドラム15の凹条23内へ嵌合して、化粧品充填ドラム15は容器本体５内の右側へガタつくことなく取り付けられる。なお、容器本体５内の左側はパフ等を収納する空きスペースとなる。
【００１８】
図５及び図６は容器本体底板３の中央に、前後方向へ長い１個の係止板25を起立した化粧用コンパクト容器１の第２実施形態を示す。該実施形態では図５が示すように、上記係止板25の左右方向縦断面形状を、前，後両端部においては柄部８上端に笠部９を付設した左右対称の茸形状に、また中間部においては平板状に形成している。また図６が示すように、係止板25の前、後両端部を挟む底板３各部分に、柄部８からはみ出した笠部９部分より大きめな透孔10を穿設することで、容器本体５を簡単な構造の金型で成形できるようにしている。なお、上記何れの実施形態では、容器本体５の底板３ないし該底板から起立する周壁４に通気孔13を穿設したが、パフを乾燥させる必要がない場合には、上記通気孔13を穿設しなくてもよい。
【００１９】
【発明の効果】
請求項１記載の発明は既述構成とするもので、容器本体底板３の左右方向中間から前後方向へ長い係止板７を起立し、また化粧品充填ドラム15の側壁17下面に長溝18を穿設したので、上記係止板７を長溝18内へ嵌合させて、容器本体５内の左右何れにも嵌合できるから、利き腕に応じて化粧品及びパフの位置を左右に入れ替えることができる使い勝手の良い化粧用コンパクト容器を提供することができる。
【００２０】
請求項２記載の発明は、請求項１記載の発明と同じ効果を有するとともに、上記容器本体５の左右周壁部分４ｃ，４ｄ内面と、長溝18を有する側壁17と対向する側の、化粧品充填ドラム15の側壁17外面とに、互いに係合する凹凸の係合手段を横設したから、化粧品充填ドラム15を容器本体左右両部の何れか一方内へ挿入したときに、凹凸の係合手段を嵌合させることができるので、化粧品充填ドラム15を容器本体５内でガタつかないようにすることができる。
【００２１】
請求項３記載の発明は、請求項１及び請求項２記載の発明と同じ効果を有するとともに、上記容器本体５の底板３ないし該底板３から起立する周壁４に、通気孔13を穿設したから、蓋体６を閉じた状態でも、容器本体５に収納したパフを乾燥することができる。
【図面の簡単な説明】
【図１】コンパクト外形部から化粧品充填ドラムを取り外した状態の化粧用コンパクト容器の第１実施形態を示す図である。
【図２】容器本体の平面図である。
【図３】化粧品充填ドラムを容器本体内の左側にセットした状態を示す要部断面図である。
【図４】化粧品充填ドラムを容器本体内の右側にセットした状態を示す要部断面図である。
【図５】本発明の第２実施形態の容器本体を示す斜視図である。
【図６】図５が示す容器本体の平面図である。
【符号の説明】
１  化粧用コンパクト容器        ２  コンパクト外形部
５  容器本体                    ６  蓋体
７  係止板                      ８  柄部
９  笠部                        15  化粧品充填ドラム
18  長溝                        25  係止板
【図１】
0003678806.tif 000002
【図２】
0003678806.tif 000003
【図３】
0003678806.tif 000004
【図４】
0003678806.tif 000005
【図５】
0003678806.tif 000006
【図６】
0003678806.tif 000007